(57)【要約】      （修正有）【課題】テーパー状マルチフィラメント糸条を手作業で作る際に、従来困難であった長いテーパー部でも、材料となるマルチフィラメント糸条から効率よくストランドを順次抜き取る事が可能となる治具を提供する。【解決手段】材料となるマルチフィラメント糸条から効率よくストランドを順次抜き取るために、材料となるマルチフィラメント糸条を挟む２枚の板で構成され、片方の板１に材料となるマルチフィラメント糸条が納まる溝６を有し、もう一方の板で、その溝に蓋をするものであり、さらには溝６の溝幅が複数カ所で絞られて狭くなる構造とする。【選択図】図３
2018166502.tif 000002
【特許請求の範囲】
【請求項１】
本発明は、テーパー状マルチフィラメント糸条を手作業で作る治具であって、材料となるマルチフィラメント糸条を挟む２枚の板で構成され、片方の板に材料となるマルチフィラメント糸条が納まる溝を有し、もう一方の板で、その溝に蓋をするものであり、さらには溝の溝幅が複数カ所で絞られて狭くなっている事を特徴とする治具である。
【発明の詳細な説明】
【技術分野】
【０００１】本発明は、例えば釣り糸におけるテーパー状マルチフィラメント糸条を手作業で作るための治具に関する。釣りの種類としては、例えば、投げ釣り用の力糸、フライフィッシングライン、テンカラ釣りのテーパーラインがある。また他の産業資材分野、例えば飾り紐糸やロープなどに使用されるテーパー状マルチフィラメント糸条を手作業で作るための治具に関する。
【背景技術】
【０００２】テーパー状マルチフィラメント糸条に関するものとして、例えば釣りの力糸に関するものとして、特開２０１２−７２８８に開示のものが知られているが、このような力糸を自作する事は困難であった。別な形態として特開２００３−３３９２８５に開示のものが知られているが、手作業で作れるものの容易に効率よく手作業で作る事は出来なかった。
【先行技術文献】
【特許文献】
【０００３】
【特許文献１】特開２０１２−７２８８
【特許文献２】特開２００３−３３９２８５
【発明の概要】
【発明が解決しようとする課題】
【０００４】本発明は、テーパー状マルチフィラメント糸条を手作業で作る際に、従来困難であった長いテーパー部を形成する場合でも、材料となるマルチフィラメント糸条の組糸からストランドを順次切断除去し、ストランド数を徐々に減ずることでマルチフィラメント糸条の長手方向に径が小さくなるテーパー部を効率良く抜き取る事が可能となる治具を提供する事を課題としている。
【課題を解決するための手段】
【０００５】本発明は、上述の課題を解決するために、すなわち、テーパー状マルチフィラメント糸条を手作業で作る際に、従来困難であった長いテーパー部を形成する場合でも、材料となるマルチフィラメント糸条の組糸からストランドを順次切断除去し、ストランド数を徐々に減ずることでマルチフィラメント糸条の長手方向に径が小さくなるテーパー部を効率良く抜き取る事を可能とするため、材料となるマルチフィラメント糸条を挟む２枚の板で構成され、片方の板に材料となるマルチフィラメント糸条が納まる溝を有し、もう一方の板で、その溝に蓋をするものであり、さらには溝の溝幅が複数カ所で絞られて狭くなる構造とする事によって解決している。【０００６】本発明の治具により、下記の作業によって効率よくテーパー状マルチフィラメント糸条を手作業で作る事ができるものである。【０００７】作業手順として、材料となるマルチフィラメント糸条を、上述での片方の板の溝に納めるように通し、もう一方の板で蓋をする事でマルチフィラメント糸条が筒状に囲まれた状態となる。【０００８】次にマルチフィラメント糸条が筒状に囲まれた状態で、マルチフィラメント糸条を構成するストランドを順次段違いの長さで抜き出す事によって、テーパー状マルチフィラメント糸条を形成していくものである。【０００９】マルチフィラメント糸条を構成するストランドを抜き出す際には、マルチフィラメント糸条の網目が膨らみながらストランドが抜き出されていくが、手作業の場合は、この膨らみが溜まっていき圧縮され、ストランドを抜き出す抵抗が増えて効率良く引き抜き出せなくなるため、長さがあるストランドを効率良く抜き取るのは困難であった。【００１０】本発明では、この膨らんでいくマルチフィラメント糸条を本発明の治具で筒状に囲んで、その範囲内で膨らませる事により、膨らみが溜まって網目が圧縮されることを防止し、ストランドを引き出す抵抗が増えることなく、長いストランドでも効率よく順次抜き取れるものとしている。これにより長いテーパー部を効率よく形成できる事で課題を解決している。【００１１】さらにマルチフィラメント糸条からストランドを順次抜き取っていく際に、それが何本目かによっては、ストランドの残りの本数が変化するため筒状に囲まれた空間の余裕が変化してしまう。これによってマルチフィラメント糸条が筒状に囲まれていても状態によっては膨らみが溜まり圧縮されてストランドを引き抜く抵抗が増えてしまう事がある。【００１２】これを解決するために、上述の溝幅を複数個所で絞って狭くする事により、溝と蓋で囲まれる空間が複数の空間に区切られ数珠繋がりの空間を形成している。このようにする事でストランドの残りの本数が変化してもマルチフィラメント糸条の膨らみが寄せられて圧縮される事なく、各空間に留まることで、順次抜き出すストランドの抵抗が増えない構造とする事で課題を解決しているものである。
【発明の効果】
【００１３】本発明によれば、従来、手作業では困難であったテーパー状マルチフィラメント糸条を、効率良く作る事が可能となるものである。
【図面の簡単な説明】
【００１４】
【図１】本発明のしくみを示す断面図である。
【図２】本発明のしくみを示す平面図である。
【図３】本発明の最良の実施形態を示す下板１の平面図である。
【図４】本発明の最良の実施形態を示す上板２の平面図である。
【発明を実施するための形態】
【００１５】以下、本発明の実施の形態について説明する。図１と図２は、本発明のしくみを示す断面図と平面図である。図３と図４は、本発明の最良の実施形態を構成する上述の２枚の板のそれぞれの平面図である。
【００１６】図１において本発明のしくみを示す断面図を図示している。このように本発明の治具は、マルチフィラメント糸条Ａを入れて通す溝６を有する下板１と、下板１に蓋をする上板２によって構成され、これによりマルチフィラメント糸条Ａを囲む空間を形成している。この図では空間の断面形状は四角形であるが、丸底の溝であっても、Ｖ字溝であっても良い。
【００１７】図２において本発明のしくみを示す下板１の平面図を図示している。このように本発明の治具は、上述の下板１においてマルチフィラメント糸条Ａを入れて通す溝６と、この溝６の溝幅を複数個所で絞って狭くする事により、溝６と上板２による蓋で囲まれる空間を複数の空間に区切って数珠繋がりの空間を形成している。この図では各空間の溝形状は角丸長方形であるが、長方形であっても、楕円形であっても良い。
【００１８】図３と図４において本発明の最良の実施形態としての下板１と上板２の平面図を示している。マルチフィラメント糸条Ａを入れて通す溝６を有する下板１と、その下板１の溝６に蓋をする上板２と、下板１に固定された円筒ポール３と、円筒ポール３を下板１に固定するネジ４によって構成されるものである。
【００１９】この実施形態では、下板１と上板２の材料をアクリル樹脂とし、特には上板２を透明にする事により、作業中においてマルチフィラメント糸条Ａが膨らんでいくのが目で確認が出来るものとしている。
【００２０】下板１は、上述のようにマルチフィラメント糸条Ａを入れて通す溝６と、この溝６の溝幅を複数個所で絞って狭くし、複数の空間に区切って数珠繋がりの空間を形成しているが、下板１の範囲内でジグザグにその経路を形成する事で、その一連の溝の長さが限られた治具の面積の中で長くなるようにしている。これによって本発明の治具全体の大きさが小さく出来ることや、マルチフィラメント糸条Ａが本発明の治具から出てくる二カ所が治具の同方向から出す事が出来るため作業者の操作性が良くなるものである。
【００２１】下板１の一連の溝６の経路が曲がる部位には、その経路に外接するように円筒ポール３を下板１に立てており、マルチフィラメント糸条Ａの経路を変える軸としている。この円筒ポール３にマルチフィラメント糸条Ａを手で順次掛けていく事により溝６の経路に一致してマルチフィラメント糸条Ａが配列されるものである。同時に、この実施形態ではその円筒ポール３の材質を摩擦抵抗が低いテフロン樹脂を使用している。これによってストランドＢを抜き出す摩擦抵抗はさらに軽減されるものとしている。
【００２２】上板２には、下板１に立てた円筒ポール３が上板２を突き抜けて上蓋２が蓋として被せられるように下板１の円筒ポール３と同配置で貫通穴７が開けられている。
【００２３】なお、下板１に上板２が被さるが、その２枚を密着させる方法として、下板１と上板２のそれぞれの四隅に磁石５を埋め込んでいる。これにより下板１と上板２は磁力によって密着された状態となるものである。
【００２４】以上により、従来困難であったテーパー状マルチフィラメント糸条を効率良く手作業で作ることが出来る治具としているものである。
【産業上の利用可能性】
【００２５】本発明は、テーパー状マルチフィラメント糸条を効率よく手作業で作る治具を提供するものとして活用する事ができる。
【符号の説明】
【００２６】１    下板
２    上板
３    円筒ポール
４    ネジ
５    磁石
６    溝
７    貫通穴
Ａ    マルチフィラメント糸条
【図１】
2018166502.tif 000003
【図２】
2018166502.tif 000004
【図３】
2018166502.tif 000005
【図４】
2018166502.tif 000006